(57)【特許請求の範囲】
【請求項１】
特定保存情報を書き込むための書込領域をＩＣカードのＩＣチップ内に画定する１次発行装置において、
ＩＣカードには、予めフォーマットが印刷されており、
前記１次発行装置は、
ＩＣカードに印刷されたフォーマットを検出するフォーマット検出手段と、
検出されたフォーマットに基づいて、ＩＣカード上の基準位置に対する、ＩＣカードに印刷されたフォーマットの相対的な位置に関連する位置情報を算出する位置情報算出手段と、
算出された前記位置情報をＩＣチップに記録する記録手段と、を備えた、１次発行装置。
【請求項２】
前記位置情報は、フォーマットの近傍に存在する、特定表示情報を印刷するための印刷領域の位置の情報を含む、請求項１に記載の１次発行装置。
【請求項３】
前記記録手段は、前記位置情報を前記書込領域に記録するよう構成されている、請求項１または２に記載の１次発行装置。
【請求項４】
前記基準位置は、ＩＣカードの端部の位置である、請求項１乃至３のいずれか一項に記載の１次発行装置。
【請求項５】
ＩＣカードに印刷されたフォーマットは、ＩＣカードに印刷された罫線を含む、請求項１乃至４のいずれか一項に記載の１次発行装置。
【請求項６】
前記フォーマット検出手段は、フォーマットが印刷されたＩＣカードの画像情報を取得するスキャナを含む、請求項１乃至５のいずれか一項に記載の１次発行装置。
【請求項７】
特定保存情報を書き込むための書込領域をＩＣカードのＩＣチップ内に画定する１次発行方法において、
ＩＣカードには、予めフォーマットが印刷されており、
前記１次発行方法は、
ＩＣカードに印刷されたフォーマットを検出するフォーマット検出工程と、
検出されたフォーマットに基づいて、ＩＣカード上の基準位置に対する、ＩＣカードに印刷されたフォーマットの相対的な位置に関連する位置情報を算出する位置情報算出工程と、
算出された前記位置情報をＩＣチップに記録する記録工程と、を備えた、１次発行方法。
【請求項８】
前記位置情報は、フォーマットの近傍に存在する、特定表示情報を印刷するための印刷領域の位置の情報を含む、請求項７に記載の１次発行方法。
【請求項９】
前記記録工程において、前記位置情報が前記書込領域に記録される、請求項７または８に記載の１次発行方法。
【請求項１０】
前記基準位置は、ＩＣカードの端部の位置である、請求項７乃至９のいずれか一項に記載の１次発行方法。
【請求項１１】
ＩＣカードに印刷されたフォーマットは、ＩＣカードに印刷された罫線を含む、請求項７乃至１０のいずれか一項に記載の１次発行方法。
【請求項１２】
前記フォーマット検出工程は、フォーマットが印刷されたＩＣカードの画像情報を取得するスキャン工程を含む、請求項７乃至１１のいずれか一項に記載の１次発行方法。
【発明の詳細な説明】
【技術分野】
【０００１】
本発明は、特定保存情報を書き込むための書込領域をＩＣカードのＩＣチップ内に画定する１次発行装置および１次発行に関する。また本発明は、１次発行処理済みのＩＣカードに関する。
【背景技術】
【０００２】
個人を特定するための身分証明書や、個人の資格を証明する資格証明書として、社員証、銀行カードまたは運転免許証など、様々なカードが広く一般に使用されている。これらのカードには、氏名やＩＤ番号など、カードを所有する個人に固有の様々な情報が印刷されている。以下、カードに印刷される、個人に固有の情報のことを特定表示情報とも称する。
【０００３】
また近年、カードの発行、検索、照会等に関わる処理をコンピュータによって迅速に行うために、さらには、カードの偽変造防止のために、記憶媒体を含むＩＣチップ等がカードに搭載されている。カードに搭載されたＩＣチップ等には、例えば、氏名やＩＤ番号など、カードを所有する個人に固有の様々な情報が書き込まれている。以下、記憶媒体を含むＩＣチップ等が搭載されたカードをＩＣカードとも称し、また、ＩＣチップ等に書き込まれる、個人に固有の情報のことを特定保存情報とも称する。
【０００４】
ＩＣカードを発行する場合、はじめに、上述の特定表示情報が印刷されておらず、かつ、上述の特定保存情報が書き込まれていないＩＣカードを準備する。その後、ＩＣカードに対して、一般に、０次発行処理、１次発行処理および２次発行処理を施す。このうち０次発行処理とは、例えば、制御情報、製造情報、製造番号などの基本情報をＩＣチップに書き込む処理のことである。また１次発行処理とは、例えば、ＩＣカードのファイル構造やファイル構成をＩＣチップに書き込む処理のことである。ここでファイル構造およびファイル構成とは、ＩＣチップの記憶媒体に作成される、上述の特定保存情報等を保存するための構造や構成のことである。また２次発行処理とは、例えば、上述の特定保存情報をＩＣチップの記憶媒体に書き込み、上述の特定表示情報をＩＣカードに印刷する処理のことである（例えば、特許文献１参照）。
【０００５】
ＩＣカードにおいては一般に、特定表示情報を印刷するための領域が所定の規則に沿って定められている。このため、２次発行処理を実施する際には、印刷が実施されるべきＩＣカード上の領域を予め特定する必要がある。例えば特許文献２において、ＩＣカードの表面の画像情報を取得し、この画像情報に基づいて、印刷が実施されるべきＩＣカード上の領域を特定する方法が提案されている。
【先行技術文献】
【特許文献】
【０００６】
【特許文献１】国際公開第２００６／０７７６８９号パンフレット
【特許文献２】特許第４３７７６２３号公報
【発明の概要】
【発明が解決しようとする課題】
【０００７】
支所や店舗などにおいてＩＣカードを利用者に対して即時発行することが求められる場合がある。この場合、個々の店舗において特定表示情報をＩＣカードに印刷する２次発行処理が実施され、ＩＣカードが利用者に対して発行される。従って、個々の店舗には、２次発行処理を実施するための２次発行装置が設置される。一方、０次発行処理および１次発行処理は、上述のように基本情報やファイル構造などをＩＣチップに書き込む処理であり、個々の店舗において用いられる複数のＩＣカードに対して共通に実施される処理である。従って、０次発行処理および１次発行処理が個々の店舗で実施される必要はなく、個々の店舗には、予め０次発行処理および１次発行処理が実施されたＩＣカードが納入されればよい。このため、０次発行処理を実施する０次発行装置、および１次発行処理を実施する１次発行装置が個々の店舗に設置される必要はない。
【０００８】
例えば０次発行装置および１次発行装置は、ＩＣカードを製造する製造者の工場に設置されていてもよい。この場合、製造者は、各店舗に対応した０次発行処理および１次発行処理をＩＣカードに対して実施した後、処理済みのＩＣカードを各店舗に納入する。このように、０次発行処理および１次発行処理を実施する装置と、２次発行処理を実施する装置とをそれぞれ別個に構成することにより、各店舗に設置される装置の構成を簡易なものとすることができる。
【０００９】
ところで上述のように、２次発行処理においては、特定表示情報を印刷するためのＩＣカード上の領域を特定する必要がある。例えば上述のように、ＩＣカードの表面の画像情報に基づいて、印刷が実施されるべきＩＣカード上の領域が特定される。ここで一般に、ＩＣカードの表面の画像情報を取得するためには、スキャナなどの複雑かつ高価な機器が用いられる。しかしながら、２次発行処理を実施するための２次発行装置は、多数の支所や店舗のそれぞれに設置されるものである。従って、２次発行装置の構成は、可能な限り簡易なものであることが望ましい。
【００１０】
本発明は、このような課題を効果的に解決し得る１次発行装置、１次発行方法および１次発行処理済みのＩＣカードを提供することを目的とする。
【課題を解決するための手段】
【００１１】
本発明は、特定保存情報を書き込むための書込領域をＩＣカードのＩＣチップ内に画定する１次発行装置において、ＩＣカードには、予めフォーマットが印刷されており、前記１次発行装置は、ＩＣカードに印刷されたフォーマットを検出するフォーマット検出手段と、検出されたフォーマットに基づいて、ＩＣカード上の基準位置に対する、ＩＣカードに印刷されたフォーマットの相対的な位置に関連する位置情報を算出する位置情報算出手段と、算出された前記位置情報をＩＣチップに記録する記録手段と、を備えた、１次発行装置である。
【００１２】
本発明の１次発行装置において、前記位置情報は、フォーマットの近傍に存在する、特定表示情報を印刷するための印刷領域の位置の情報を含んでいてもよい。
【００１３】
本発明の１次発行装置において、前記記録手段は、前記位置情報を前記書込領域に記録するよう構成されていてもよい。
【００１４】
本発明の１次発行装置において、前記基準位置は、ＩＣカードの端部の位置であってもよい。
【００１５】
本発明の１次発行装置において、ＩＣカードに印刷されたフォーマットは、ＩＣカードに印刷された罫線を含んでいてもよい。
【００１６】
本発明の１次発行装置において、前記フォーマット検出手段は、フォーマットが印刷されたＩＣカードの画像情報を取得するスキャナを含んでいてもよい。
【００１７】
本発明は、特定保存情報を書き込むための書込領域をＩＣカードのＩＣチップ内に画定する１次発行方法において、ＩＣカードには、予めフォーマットが印刷されており、前記１次発行方法は、ＩＣカードに印刷されたフォーマットを検出するフォーマット検出工程と、検出されたフォーマットに基づいて、ＩＣカード上の基準位置に対する、ＩＣカードに印刷されたフォーマットの相対的な位置に関連する位置情報を算出する位置情報算出工程と、算出された前記位置情報をＩＣチップに記録する記録工程と、を備えた、１次発行方法である。
【００１８】
本発明の１次発行方法において、前記位置情報は、フォーマットの近傍に存在する、特定表示情報を印刷するための印刷領域の位置の情報を含んでいてもよい。
【００１９】
本発明の１次発行方法の前記記録工程において、前記位置情報が前記書込領域に記録されてもよい。
【００２０】
本発明の１次発行方法において、前記基準位置は、ＩＣカードの端部の位置であってもよい。
【００２１】
本発明の１次発行方法において、ＩＣカードに印刷されたフォーマットは、ＩＣカードに印刷された罫線を含んでいてもよい。
【００２２】
本発明の１次発行方法において、前記フォーマット検出工程は、フォーマットが印刷されたＩＣカードの画像情報を取得するスキャン工程を含んでいてもよい。
【００２３】
本発明は、ＩＣチップが搭載されたＩＣカードにおいて、ＩＣカードにはフォーマットが印刷されており、ＩＣチップには、特定保存情報を書き込むための書込領域が画定されており、かつ、ＩＣカード上の基準位置に対する、ＩＣカードに印刷されたフォーマットの相対的な位置に関連する位置情報が記録されている、ＩＣカードである。
【００２４】
本発明のＩＣカードにおいて、前記位置情報は、フォーマットの近傍に存在する、特定表示情報を印刷するための印刷領域の位置の情報を含んでいてもよい。
【００２５】
本発明のＩＣカードにおいて、前記位置情報は、前記書込領域に記録されていてもよい。
【００２６】
本発明のＩＣカードにおいて、前記基準位置は、ＩＣカードの端部の位置であってもよい。
【００２７】
本発明のＩＣカードにおいて、ＩＣカードに印刷されたフォーマットは、ＩＣカードに印刷された罫線を含んでいてもよい。
【発明の効果】
【００２８】
本発明によれば、１次発行処理の際、ＩＣカード上の基準位置に対する、ＩＣカードに印刷されたフォーマットの相対的な位置に関連する位置情報がＩＣチップに記録される。このため、その後の２次発行処理においては、ＩＣチップから読み出された位置情報に基づいて、特定表示情報が印刷されるべき印刷領域を特定することができる。このため２次発行処理において、より簡易な装置または工程によって、印刷領域に正確に特定表示情報を印刷することができる。
【図面の簡単な説明】
【００２９】
【図１】図１は、本発明の実施の形態において、製造および発行されるＩＣカードの流れを示す図。
【図２】図２は、ＩＣカード製造装置によって製造されたＩＣカードを示す平面図。
【図３】図３は、ＩＣカードのＩＣチップの構成例を示すブロック図。
【図４】図４は、本発明の実施の形態における１次発行装置を示す図。
【図５】図５は、本発明の実施の形態における２次発行装置を示す図。
【図６】図６は、フォーマットの位置が設計からずれているＩＣカードの一例を示す図。
【図７】図７（ａ）は、ＩＣチップのファイル構造を示す図、図７（ｂ）は、ＩＣチップのファイル構成を示す図。
【図８】図８は、ＩＣチップに記録された位置情報を示す図。
【図９】図９は、特定表示情報が印刷されたＩＣカードを示す図。
【図１０】図１０は、特定保存情報が書き込まれたＩＣチップを示す図。
【発明を実施するための形態】
【００３０】
以下、図１乃至図９を参照して、本発明の実施の形態について説明する。まず図１により、本実施の形態によって製造および発行されるＩＣカードの流れについて説明する。
【００３１】
図１に示すように、はじめにＩＣカード製造装置３２によって、ＩＣチップ２０が搭載されたＩＣカード１０が製造される。ＩＣカード１０の種類が特に限られることはなく、社員証、銀行カードまたは運転免許証など様々な種類が考えられる。ここでは、ＩＣカード１０が、特定の会社、例えば会社Ａのビルに入館するための入館許可証である例について説明する。この場合、ＩＣカード１０は例えば、会社Ａの各支社において社員に対して最終的に発行される。
【００３２】
図１に示すように、ＩＣカード製造装置３２によって製造されたＩＣカード１０はその後、０次発行装置３４に送られる。０次発行装置３４は、制御情報、製造情報、製造番号などの基本情報をＩＣカード１０のＩＣチップ２０に書き込む０次発行処理を実施する。０次発行処理が実施されたＩＣカード１０は、図１に示すように、１次発行装置４０と２次発行装置５０とを備えたＩＣカード発行システム３０に送られる。このうち１次発行装置４０は、会社Ａに納入されるＩＣカード１０に特有のファイル構造やファイル構成をＩＣチップ２０に書き込む１次発行処理を実施するためのものである。また２次発行装置５０は、発行対象となる社員の特定保存情報をＩＣチップ２０に書き込むとともに、発行対象となる社員の特定表示情報をＩＣカード１０に印刷する２次発行処理を実施するためのものである。
【００３３】
ＩＣカード製造装置３２、０次発行装置３４および１次発行装置４０は、例えば、ＩＣカード１０を製造する製造者の工場に設置される。一方、２次発行装置５０は、会社Ａの各支社にそれぞれ設置される。この場合、０次発行処理および１次発行処理が実施されたＩＣカード１０が、製造者から会社Ａの各支社に納入される。
【００３４】
ＩＣカード
次に図２および図３を参照して、ＩＣカード製造装置３２によって製造されたＩＣカード１０について説明する。図２は、ＩＣカード製造装置３２によって製造されたＩＣカード１０であって、２次発行処理が実施される前のＩＣカード１０を示す平面図である。また図３は、ＩＣカード１０のＩＣチップ２０の構成例を示すブロック図である。図２においては、ＩＣカード１０に内蔵されているＩＣチップ２０が点線で示されている。
【００３５】
図２に示すように、ＩＣカード１０の表面にはフォーマット１１が印刷されている。ここでフォーマット１１とは、会社Ａに納入されるＩＣカード１０全てに共通に印刷される事項のことである。例えばフォーマット１１は、図２に示すように、後に実施される２次発行処理において社員の氏名や社員番号などが印字されるべき領域を特定するための罫線１１ａを含んでいる。またフォーマット１１は、社員の顔画像が印画されるべき領域を特定するための枠線１１ｂを含んでいてもよい。以下の説明において、ＩＣカード１０に印字される氏名や社員番号などの情報を「特定印字情報」とも称する。また、ＩＣカード１０に印画される顔画像などの情報を「特定印画情報」とも称する。また、特定印字情報および特定印画情報を含む、ＩＣカード１０に印刷される、発行対象となる社員に固有の情報を「特定表示情報」とも称する。
【００３６】
一般に、ＩＣカード１０に印刷される特定表示情報は、罫線１１ａや枠線１１ｂに対応した領域内に正確に印刷されることが求められる。例えば図２において、罫線１１ａに対応した印字領域が、符号１２ａが付された点線によって示されており、また、枠線１１ｂに対応した印画領域が、符号１２ｂが付された点線によって示されている。各印字領域１２ａは、対応する罫線１１ａとの間で所定の位置関係を有するよう、対応する罫線１１ａの近傍に存在している。同様に、印画領域１２ｂは、枠線１１ｂとの間で所定の位置関係を有するよう、枠線１１ｂの近傍に存在している。以下の説明においては、印字領域１２ａまたは印画領域１２ｂを、特定表示情報が印刷されるべき印刷領域１２と総称することもある。
【００３７】
次に図３を参照して、ＩＣカード１０のＩＣチップ２０の構成の一例について説明する。図３に示すように、ＩＣチップ２０は、後に実施される２次発行処理において社員の氏名や社員番号などの個人情報を書き込むための記憶媒体として、不揮発性メモリを含んでいる。不揮発性メモリとしては、図３に示すように例えばＥＥＰＲＯＭ２１が用いられる。またＩＣチップ２０は、各発行装置３４，４０，５０との間で通信を行うことや、ＥＥＰＲＯＭ２１との間で情報を読み書きするための構成要素、例えばＣＰＵ、アナログ回路、デジタル回路、コプロセッサ、ＲＯＭおよびＲＡＭなどを含んでいてもよい。なお、ＩＣチップ２０と各発行装置３４，４０，５０との間で行われる通信の方式が特に限られることはなく、無線通信や有線通信の各方式が適宜用いられ得る。なお以下の説明において、発行対象となる社員の氏名や社員番号などの個人情報であって、ＩＣチップ２０に書き込まれる個人情報のことを「特定保存情報」とも称する。
【００３８】
１次発行装置
次に図４を参照して、１次発行処理を実施する１次発行装置４０について説明する。１次発行処理とは、上述のように、会社Ａに納入されるＩＣカード１０に特有のファイル構造やファイル構成をＩＣチップ２０に書き込む処理のことである。具体的には、１次発行処理は、上述の特定保存情報を書き込むための書込領域をＩＣチップ２０内に画定する処理などを含んでいる。
【００３９】
図４に示すように、１次発行装置４０は、ＩＣカード１０を搬送するカード搬送手段４１と、カード搬送手段４１によって搬送されるＩＣカード１０に対して所定の処理を実施するフォーマット検出手段４３、書込領域画定手段４５および記録手段４６と、各手段４１，４３，４５，４６を制御するよう構成され、位置情報算出手段４４を含む制御機構４８と、を備えている。また１次発行装置４０は、カード搬送手段４１にＩＣカード１０を自動的に供給するカード供給手段４２と、１次発行処理が実施された後のＩＣカード１０を自動的に収納するカード収納手段４７と、をさらに備えていてもよい。また１次発行装置４０は、ＩＣカード１０に対して実施されるべき１次発行処理に関する具体的な情報が記録されたデータベース４９であって、制御機構４８との間で通信可能なデータベース４９をさらに備えていてもよい。
【００４０】
フォーマット検出手段４３は、ＩＣカード１０に印刷されたフォーマット１１を検出するよう構成されたものである。例えばフォーマット検出手段４３は、フォーマット１１が印刷されたＩＣカード１０の表面を走査し、これによってＩＣカード１０の表面の画像情報を取得するスキャナを含んでいる。
【００４１】
位置情報算出手段４４は、フォーマット検出手段４３によって検出されたフォーマット１１に基づいて、ＩＣカード１０上の基準位置１４に対する、ＩＣカード１０に印刷されたフォーマット１１の相対的な位置に関連する位置情報を算出するよう構成されたものである。なおＩＣカード１０上の基準位置１４は、２次発行装置５０によって容易に検出され得るＩＣカード１０上の位置である限り特に限定されない。例えば図２に示すように、基準位置１４は、ＩＣカード１０の端部１４ａ，１４ｂの位置であってもよい。
【００４２】
書込領域画定手段４５は、上述の特定保存情報を書き込むための書込領域をＩＣチップ２０内に画定するよう構成されたものである。また記録手段４６は、位置情報算出手段４４によって算出された上述の位置情報をＩＣチップ２０に記録するよう構成されたものである。なお本明細書において、「書き込む」という用語および「記録する」という用語は、ほぼ同義のものとして用いられ得る。書込領域画定手段４５および記録手段４６の機能のうち、ＩＣチップ２０との間の通信に関わる機能は、例えば、制御機構４８からの制御に基づいて動作する一般的なリーダ・ライタによって実現されてもよい。
【００４３】
２次発行装置
次に図５を参照して、２次発行処理を実施する２次発行装置５０について説明する。図５に示すように、２次発行装置５０は、ＩＣカード１０を搬送するカード搬送手段５１と、カード搬送手段５１によって搬送されるＩＣカード１０に対して所定の処理を実施する読出手段５３、印刷手段５５および書込手段５６と、各手段５１，５３，５５，５６を制御するよう構成された制御機構５８と、を備えている。制御機構５８は、印刷領域特定手段５４を有していてもよい。また２次発行装置５０は、カード搬送手段５１にＩＣカード１０を自動的に供給するカード供給手段５２と、２次発行処理が実施された後のＩＣカード１０を自動的に収納するカード収納手段５７と、ＩＣカード１０上の基準位置を検出するカード検出手段６０と、をさらに備えていてもよい。カード検出手段６０は、例えば、ＩＣカード１０の端部１４ａ，１４ｂの位置を検出する端部検出手段を含んでいる。また２次発行装置５０は、ＩＣカード１０に対して実施されるべき２次発行処理に関する具体的な情報が記録されたデータベース５９であって、制御機構５８との間で通信可能なデータベース５９をさらに備えていてもよい。
【００４４】
読出手段５３は、１次発行装置４０によってＩＣチップ２０に記録された上述の位置情報をＩＣチップ２０から読み出すよう構成されたものである。また書込手段５６は、発行対象となる社員の特定保存情報をＩＣチップ２０に書き込むよう構成されたものである。読出手段５３および書込手段５６の機能の一部または全部は、制御機構５８からの制御に基づいて動作する一般的なリーダ・ライタによって実現されてもよい。すなわち、２次発行装置５０を具体的に構成する際、１台のリーダ・ライタが読出手段５３および書込手段５６として機能し得る。
【００４５】
印刷領域特定手段５４は、読出手段５３によって読み出された位置情報に基づいて、ＩＣカード１０に印刷された各フォーマット１１の近傍に存在する各印刷領域１２を特定するよう構成されたものである。印刷領域特定手段５４の機能は、例えば、制御機構５８を構成するためのコンピュータなどによって実現されてもよい。なお図５においては、印刷領域特定手段５４が制御機構５８に含まれる例を示したが、これに限られることはない。例えば読出手段５３や印刷手段５５などにＣＰＵなどの演算装置が組み込まれている場合、当該演算装置の一機能として印刷領域特定手段５４の機能が実現されてもよい。
【００４６】
印刷手段５５は、印刷領域特定手段５４によって特定された印刷領域１２に、発行対象となる社員の特定表示情報を印刷するよう構成されたものである。印刷手段５５において用いられる印刷方式が特に限られることはなく、昇華転写方式や溶融転写方式など公知の方式が適宜用いられ得る。
【００４７】
次に、このような構成からなる本実施の形態の作用および効果について説明する。ここでは、はじめに、ＩＣカード１０を製造する方法について説明する。次に、製造されたＩＣカード１０に対して０次発行処理、１次発行処理および２次発行処理を実施する方法について説明する。
【００４８】
ＩＣカードの製造方法
はじめに、多数のＩＣカード１０が多面付けされた積層シートを作製する。例えば、まず第１シートおよび第２シートを準備する。このうち第１シートは、ＩＣカード１０の表面となる層であり、また第２シートは、ＩＣカード１０の裏面となる層である。第１シートには、各ＩＣカード１０のフォーマット１１が予め印刷されていてもよい。その後、第１シートと第２シートとを所定の接着剤を介して貼り合わせ、これによって積層シートが得られる。この際、第１シートと第２シートとの間には、各ＩＣカード１０が形成されるべき領域に対応するよう複数のＩＣチップ２０が挿入される。
【００４９】
その後、パンチなどを用いて積層シートをカード状に打ち抜く。このようにして、図２に示すような、ＩＣチップ２０が搭載され、フォーマット１１が印刷された複数のＩＣカード１０を製造することができる。
【００５０】
ところで製造工程においては、様々な原因により、ＩＣカード１０上の基準位置に対する、ＩＣカード１０に印刷されたフォーマット１１の相対的な位置が設計からずれることがある。例えば図６に示すように、製造されたＩＣカード１０のフォーマット１１の位置が、ＩＣカード１０の長手方向において設計からずれてしまうことがある。具体的には、図６に示す例においては、ＩＣカード１０の長手方向における、「氏名」用の罫線１１ａの端部からＩＣカード１０の端部１４ａまでの距離ｘ１が、図２に示すＩＣカード１０における距離ｘ１よりも大きくなっている。この場合、後の２次発行処理において仮にＩＣカード１０の端部１４ａからの距離にのみ基づいて印字領域１２ａが特定されると、ＩＣカード１０に印刷される氏名などの特定印字情報が罫線１１ａからはみ出てしまう可能性がある。このような印刷ミスを防ぐため、印刷されたフォーマット１１の位置が設計からずれた場合であってもフォーマット１１内に特定表示情報を印刷することができるよう、実際に印刷されたフォーマット１１の位置に応じて、ＩＣカード１０ごとに個別に印刷領域１２を特定することが望ましい。
【００５１】
なお、製造されたＩＣカード１０のフォーマット１１の位置が設計からずれてしまう原因としては、様々な事項が考えられる。例えば、フォーマット１１を上述の第１シートに印刷する際の誤差や、積層シートをカード状に打ち抜く際の誤差などが考えられる。また、雰囲気温度に起因する伸縮による誤差や、搬送の際の誤差なども考えられる。
【００５２】
ＩＣカードの発行方法
次に、ＩＣカード製造装置３２によって製造されたＩＣカード１０に対して０次発行処理、１次発行処理および２次発行処理を実施する発行方法について説明する。
【００５３】
（０次発行処理）
はじめに０次発行装置３４を用いて、ＩＣカード１０に対して０次発行処理を実施する。例えば、制御情報、製造情報、製造番号などの基本情報をＩＣカード１０のＩＣチップ２０に書き込む。
【００５４】
（１次発行処理）
次に１次発行装置４０を用いて、ＩＣカード１０に対して１次発行処理を実施する。はじめに、フォーマット検出手段４３を用いて、ＩＣカード１０に印刷されたフォーマット１１を検出する（フォーマット検出工程）。例えば、フォーマット検出手段４３がスキャナを含む場合、はじめに、フォーマット１１が印刷されたＩＣカード１０の画像情報を、スキャナを用いて取得する（スキャン工程）。
【００５５】
その後、検出されたフォーマット１１に基づいて、位置情報算出手段４４を用いて、ＩＣカード１０上の基準位置１４に対する、ＩＣカード１０に印刷されたフォーマット１１の相対的な位置に関連する位置情報を算出する（位置情報算出工程）。例えば、取得された画像情報を、パソコンなどを用いて解析する。これによって、図６に示すように、「氏名」用の罫線１１ａの左上の端部から、ＩＣカード１０の長手方向の端部１４ａおよび幅方向の端部１４ｂまでの距離ｘ１および距離ｙ１を算出する。例えば、距離ｘ１が２５．５ｍｍと算出され、距離ｙ１が１２．３ｍｍと算出される。
【００５６】
なお図示はしないが、位置情報算出手段４４は、「社員番号」用の罫線１１ａなど、「氏名」用の罫線１１ａ以外の罫線１１ａの端部から、ＩＣカード１０の端部１４ａおよび端部１４ｂまでの距離をさらに算出してもよい。また位置情報算出手段４４は、枠線１１ｂの端部からＩＣカード１０の端部１４ａおよび端部１４ｂまでの距離をさらに算出してもよい。
【００５７】
また書込領域画定手段４５を用いて、発行対象の社員の特定保存情報を書き込むための書込領域などをＩＣカード１０のＩＣチップ２０内に画定する。具体的には、データベース４９に記録された情報に基づいて、ＩＣチップ２０に含まれるＥＥＰＲＯＭ２１などの記憶媒体内に、ＩＣカード１０の用途に応じた書込領域を画定する。図７（ａ）は、書込領域画定手段４５によって生成されたＩＣチップ２０のファイル構造の一例を示す図であり、図７（ｂ）は、図７（ａ）に示す各ファイルの構成の一例を示す図である。図７（ａ）（ｂ）おいて、「ＭＦ」はマスターファイルを意味している。また「ＩＥＦ１」は、ＩＣカード１０を電子的に閉塞、解除するための認証鍵に関する情報を書き込むためのファイルとなっている。また「ＤＦ１」〜「ＤＦ３」の下の階層に生成される「ＥＦ１」〜「ＥＦ３」などのファイルはそれぞれ、発行対象の社員の氏名や社員番号などの特定保存情報を書き込むためのファイルとなっている。図７（ｂ）においては、「ＥＦ１」〜「ＥＦ３」の各ファイルに、特定保存情報を書き込むための書込領域２２が画定されている様子が示されている。なおこの段階では、各書込領域２２には何ら情報が書き込まれていない。すなわち、各書込領域２２はブランク領域となっている。なお「ＩＥＦ１」のファイルには、認証鍵に関する情報を書き込むための認証鍵領域２５が画定されている。
【００５８】
また書込手段５６を用いて、位置情報算出手段４４によって算出された位置情報をＩＣチップ２０に記録する（記録工程）。例えば、上述の「ｘ１＝２５．５ｍｍ」および「距離ｙ１＝１２．３ｍｍ」という情報をＩＣチップ２０に記録する。この際、ＩＣチップ２０のＥＥＰＲＯＭ２１内に画定された複数の書込領域２２のいずれかに位置情報を記録してもよい。例えば図８に示すように、「氏名」などに対応するファイルの書込領域２２に位置情報２３を書き込むことができる。
【００５９】
書込手段５６は、図８に示すように、ＩＣカード１０を電子的に閉塞、解除するための認証鍵に関する情報２５ａを、ＥＥＰＲＯＭ２１内に画定された「ＩＥＦ１」ファイル内の認証鍵領域２５に書き込んでもよい。認証鍵に関する情報は、例えば、後に実施される２次発行処理の際に照合確認される。
【００６０】
以上のようにして、特定保存情報を書き込むための書込領域２２がＩＣチップ２０内に画定された、１次発行処理済みのＩＣカード１０を得ることができる。１次発行処理済みのＩＣカード１０は、その後、製造者から会社Ａに納入される。以下、会社Ａの各支社において、社員に対してＩＣカード１０を即時発行するための２次発行処理を実施する方法について説明する。
【００６１】
（２次発行処理）
次に２次発行装置５０を用いて、ＩＣカード１０に対して２次発行処理を実施する。はじめに、カード検出手段６０を用いて、ＩＣカード１０上の基準位置を検出する（基準位置検出工程）。例えば、ＩＣカード１０の端部１４ａ，１４ｂの位置を検出する（端部検出工程）。なお、ＩＣカード１０の端部１４ａ，１４ｂの位置を検出する方法が特に限られることはなく、様々な方法を用いることができる。例えば、カード搬送手段５１に沿って配置された光送信機および光受信機を含む光センサを用いて、端部１４ａ，１４ｂの位置を検出することができる。
【００６２】
また、読出手段５３を用いて、１次発行装置４０によって記録された上述の位置情報２３をＩＣチップ２０のＥＥＰＲＯＭ２１から読み出す（読出工程）。
【００６３】
その後、図９に示すように、ＩＣチップ２０のＥＥＰＲＯＭ２１から読み出された位置情報２３に基づいて、ＩＣカード１０に印刷された各フォーマット１１の近傍に存在する各印刷領域１２に特定表示情報１３を印刷する（印刷工程）。
例えば、はじめに、印刷領域特定手段５４を用いて、ＩＣカード１０に印刷されたフォーマット１１の近傍に存在する印刷領域１２を特定する（印刷領域特定工程）。例えば図９に示す例においては、ＩＣカード１０の長手方向の端部１４ａからの距離がｘ１’であり、ＩＣカード１０の幅方向の端部１４ｂからの距離がｙ１’である位置から始まる、「氏名」のための印刷領域が、符号１２ａが付された点線で特定されている。ここで距離ｘ１’および距離ｙ１’は、各フォーマット１１とそれに対応する印刷領域１２との間の所定の位置関係と、ＩＣチップ２０から読み出された距離ｘ１および距離ｙ１の情報とを考慮することにより算出され得る。なお、各フォーマット１１とそれに対応する印刷領域１２との間の所定の位置関係に関する情報は、例えばデータベース５９に予め記録されている。
また、特定された「氏名」のための印刷領域１２ａを基準として、「住所」や「社員番号」などのための印刷領域１２ａや、顔画像のための印画領域１２ｂを特定する。このようにして、位置情報２３に基づいて、印字領域１２ａおよび印画領域１２ｂを含む印刷領域１２を特定することができる。
その後、特定された各印刷領域１２に、対応する特定表示情報１３を印刷する。このようにして、発行対象の社員に関する特定表示情報１３が印刷されたＩＣカード１０を得ることができる。
【００６４】
また図１０に示すように、書込手段５６を用いて、ＩＣチップ２０のＥＥＰＲＯＭ２１に画定されている各書込領域２２に、発行対象の社員に関する特定保存情報２４を書き込む（書込工程）。特定保存情報２４は、例えばデータベース５９に予め記録されている。この場合、制御機構５８が、特定保存情報２４と、ＩＣカード１０のＩＣチップ２０に書き込まれている製造番号などとを対応付けることにより、発行対象の社員の特定保存情報２４を適切にＩＣチップ２０のＥＥＰＲＯＭ２１の各書込領域２２に書き込むことができる。
【００６５】
なお、上述の読出工程において位置情報２３がＩＣチップ２０から読み出された後、位置情報２３をＩＣチップ２０から消去する消去工程を実施してもよい。これによって、発行されるＩＣカード１０に、会社Ａやその社員にとっては無駄な情報である位置情報２３が残ってしまうことを防ぐことができる。
【００６６】
なお上述の書込工程において、ＩＣチップ２０のうち位置情報２３が記録されている領域に特定保存情報２４が書き込まれる場合、位置情報２３が自動的に上書き消去され得る。この場合、書込工程とは別に消去工程を実施する必要がなく、このため２次発行処理に要する工数を削減することができる。このような合理化は、例えば１次発行処理の際にＩＣチップ２０に記録される位置情報２３が、上述のように「氏名」などのための書込領域２２に記録される場合に達成され得る。
【００６７】
このように本実施の形態によれば、ＩＣカード１０の製造者などによって一括で実施される１次発行処理において、ＩＣカード１０上の基準位置１４に対する、ＩＣカード１０に印刷されたフォーマット１１の相対的な位置に関連する位置情報２３がＩＣチップ２０に記録される。このため２次発行処理において、ＩＣチップ２０に記録された位置情報２３に基づいて、ＩＣカード１０に印刷されたフォーマット１１に対応する印刷領域１２を特定することができる。すなわち２次発行処理において、スキャナなどを用いてＩＣカード１０の画像情報を取得することなく、印刷領域１２を特定することができる。このため、スキャナなどの複雑かつ高価な機器が２次発行装置５０に設けられていない場合であっても、特定表示情報１３を正確に書込領域２２に印刷することができる。このことにより、数多く設置される必要がある２次発行装置５０の構成を簡易化することができ、また２次発行装置５０のコストを低減することができる。
【００６８】
なお、上述した実施の形態に対して様々な変更を加えることが可能である。以下、変形の一例について説明する。
【００６９】
図１に示す本実施の形態において、０次発行装置３４と１次発行装置４０とが別個に構成される例を示した。しかしながら、これに限られることはなく、０次発行装置３４および１次発行装置４０を一体の装置として構成してもよい。また、ＩＣカード製造装置３２についても、ＩＣカード製造装置３２と０次発行装置３４および／または１次発行装置４０とを一体の装置として構成してもよい。
【００７０】
また本実施の形態において、１次発行処理の位置情報算出工程において算出される位置情報２３が、「氏名」用の罫線１１ａの左上の端部から、ＩＣカード１０の長手方向の端部１４ａおよび幅方向の端部１４ｂまでの距離ｘ１および距離ｙ１の情報を含む例を示した。しかしながら、これに限られることはなく、さらに多くの位置情報２３が算出されてもよい。例えば、図示はしないが、「氏名」用の罫線１１ａの右上の端部から、ＩＣカード１０の長手方向の端部１４ａおよび幅方向の端部１４ｂまでの距離ｘ２および距離ｙ２がさらに位置情報２３に含まれていてもよい。すなわち、所定の罫線１１ａまたは枠線１１ｂ上の２点の位置に関する情報が位置情報２３として含まれていてもよい。これによって、フォーマット１１の位置が二方向、例えばｘ方向およびｙ方向において設計からずれた場合であっても、位置情報２３に基づいて特定表示情報１３をフォーマット１１内に正確に印刷することができる。
【００７１】
また本実施の形態において、１次発行装置４０において、ＩＣカード１０上の基準位置１４に対する、ＩＣカード１０に印刷されたフォーマット１１の相対的な位置に関連する位置情報２３が、フォーマット１１自体の位置の情報となっている例を示した。例えば、位置情報２３が、ＩＣカード１０の基準位置１４ａ，１４ｂからフォーマット１１の罫線１１ａまでの距離ｘ１，ｙ１の情報を含む例を示した。しかしながら、位置情報の形態が特に限られることはない。例えば位置情報２３は、フォーマット１１の近傍に存在する、特定表示情報１３を印刷するための印刷領域１２の位置の情報を含んでいてもよい。例えば、位置情報は、ＩＣカード１０の基準位置１４ａ，１４ｂから印刷領域１２の印字領域１２ａまでの距離ｘ１’，ｙ１’ （図９参照）の情報を含んでいてもよい。すなわち、１次発行装置４０において、ＩＣカード１０上の基準位置１４に対するフォーマット１１の位置の情報（例えば上述のｘ１，ｙ１）に基づいて、ＩＣカード１０上の基準位置１４に対する印刷領域１２の位置の情報（例えば上述の距離ｘ１’，ｙ１’）を算出し、この情報を位置情報２３としてＩＣチップ２０に記録してもよい。この場合、２次発行装置５０においては、ＩＣチップ２０に記録されている位置情報２３を読み出すことにより、書込領域２２を特定することができる。すなわち、２次発行処理の際に２次発行装置５０の印刷領域特定手段５４を用いて印刷領域１２を特定する工程が不要になる。このことにより、２次発行処理に要する工程を削減することができ、また、２次発行装置５０の構成をより簡易なものとすることができる。
【００７２】
また本実施の形態において、２次発行処理の際、カード検出手段６０、例えば端部検出手段を用いることによって、ＩＣカード１０の基準位置１４、例えば端部１４ａ，端部１４ｂの位置が検出される例を示した。しかしながら、２次発行処理の際にＩＣカード１０上の基準位置を検出する方法がこれに限られることはない。例えば、カード搬送手段５１にＩＣカード１０を固定するための何らかの枠組が形成されている場合を考える。この場合、２次発行装置５０の制御機構５８は、カード搬送手段５１と連動することにより、カード搬送手段５１によって搬送されている各ＩＣカード１０の端部１４などの基準位置を知ることができる。この場合、カード検出手段６０を用いること無く、特定されている印刷領域１２に特定表示情報１３を印刷することができる。
【００７３】
また本実施の形態において、ＩＣカード１０上の基準位置１４が、端部１４ａおよび端部１４ｂの位置である例を示した。しかしながら、２次発行装置５０によって容易に検出され得るＩＣカード１０上の位置である限り、基準位置１４が特に限定されることはない。例えばＩＣカード１０の基準位置１４は、図示はしないが、２次発行装置５０によって容易に検出され得る、位置合わせ用のアライメントマークであってもよい。この場合、ＩＣチップ２０に記録される位置情報２３は、アライメントマークの位置に対する、フォーマット１１の相対的な位置に関連する情報となっている。
【００７４】
また本実施の形態において、図９に示される全ての特定印字情報１３ａが、２次発行装置５０を用いて印刷される例を示した。しかしながら、これに限られることはなく、特定印字情報１３ａの一部をＩＣカード製造装置３２、０次発行装置３４または１次発行装置４０を用いて印刷してもよい。例えば「会社名」に関する特定印字情報１３ａなど、納入先のＡ会社の全ての社員に共通する情報については、２次発行処理が実施されるよりも前にＩＣカード１０に印刷されていてもよい。
【００７５】
なお、上述した実施の形態に対するいくつかの変形例を説明してきたが、当然に、複数の変形例を適宜組み合わせて適用することも可能である。
【符号の説明】
【００７６】
１０  ＩＣカード
１１  フォーマット
１２  印刷領域
１３  特定表示情報
１４  基準位置
２０  ＩＣチップ
２１  ＥＥＰＲＯＭ
２２  書込領域
２３  位置情報
２４  特定保存情報
３０  ＩＣカード発行システム
３２  ＩＣカード製造装置
３４  ０次発行装置
４０  １次発行装置
４３  フォーマット検出手段
４４  位置情報算出手段
４５  書込領域画定手段
４６  記録手段
５０  ２次発行装置
５３  読出手段
５５  印刷手段
５６  書込手段
【図１】
0005958802.tif 000002
【図２】
0005958802.tif 000003
【図３】
0005958802.tif 000004
【図４】
0005958802.tif 000005
【図５】
0005958802.tif 000006
【図６】
0005958802.tif 000007
【図７】
0005958802.tif 000008
【図８】
0005958802.tif 000009
【図９】
0005958802.tif 000010
【図１０】
0005958802.tif 000011